(57)【要約】【課題】  カードを事前に作り置きしておくことができるとともに、製造コストを低減することが可能なラベル付カードおよびラベル付カードの製造方法を提供する。【解決手段】  ラベル付カードＬＣは、特定情報が表現された印刷層である特定情報印刷層が形成された紙であるラベル紙１と、特定情報印刷層を覆って形成された隠蔽層６と、ラベル紙１を貼付するためのカード基材７と、を備え、ラベル紙１が、特定情報印刷層が形成されていない側の面において、ラベル紙１の全面に一様に形成された粘着剤層２により、カード基材７に貼付されている。【選択図】  図４
2017021290.tif 000002
【特許請求の範囲】
【請求項１】
特定情報が表現された印刷層である特定情報印刷層が形成された紙であるラベル紙と、
前記特定情報印刷層を覆って形成された隠蔽層と、
前記ラベル紙を貼付するためのカード基材と、を備え、
前記ラベル紙が、前記特定情報印刷層が形成されていない側の面において、ラベル紙の全面に一様に形成された粘着剤層により、前記カード基材に貼付されていることを特徴とするラベル付カード。
【請求項２】
前記カード基材の前記ラベル紙が接着された面における前記ラベル紙が接着されていない部分が、前記カード基材を支持するための支持体に接着されていることを特徴とする請求項１に記載のラベル付カード。
【請求項３】
前記ラベル紙は、坪量２６０ｇ／ｍ2以下の紙であることを特徴とする請求項１または請求項２に記載のラベル付カード。
【請求項４】
ラベル紙を含む連続状のタック紙において、各ラベル紙に特定情報が表現された印刷層である特定情報印刷層を形成するステップと、
前記特定情報印刷層を覆って隠蔽層を形成するステップと、
前記タック紙を巻き取るステップと、
前記巻き取り状態のタック紙から各ラベル紙を剥離して、カード基材に貼付するステップと、
前記カード基材の前記ラベル紙が接着された面における前記ラベル紙が接着されていない部分を支持体に貼付するステップと、
を有することを特徴とするラベル付カードの製造方法。
【発明の詳細な説明】
【技術分野】
【０００１】
本発明は、店舗等に陳列するため、吊り下げ台紙等の支持体に貼付されたカードに関する。
【背景技術】
【０００２】
従来、携帯可能な大きさの商品を店舗で販売する際、吊り下げ型の台紙に装着し、台紙ごと吊り下げて陳列することが行われている。利用者は、購入後、吊り下げ型の台紙から商品を分離し、商品を利用することになる。
【０００３】
近年、コンビニエンスストアやスーパーマーケット、家電量販店、百貨店、雑貨店で販売されているギフトカード、例えば、ＰＯＳＡ（登録商標）カード等のギフトカードあるいはプリペイドカード（単にカードと呼ぶ）は、カードを印刷された台紙に接着剤で貼り付けた構造になっており、目視可能なように店舗内に立てかけられたり、吊り下げられたりして販売されている。
【０００４】
カードを吊り下げ用の台紙に付加して販売するための一形態として、出願人も、吊り下げ用の台紙と一体化した形態のカードを開発している（特許文献１、２参照）。
【先行技術文献】
【特許文献】
【０００５】
【特許文献１】特開２０１２−６６９３４号公報
【特許文献２】特開２０１４−１１７８１６号公報
【発明の概要】
【発明が解決しようとする課題】
【０００６】
しかしながら、カードに印刷を行う場合は、全ての印刷内容が決定した後でなければ、カードにデザイン等の印刷も行うことができず、カードの作り置きが難しいという問題がある。また、従来の台紙にカードを貼付するタイプの場合は、カード自体および製造のコストが高いという問題がある。
【０００７】
そこで、本発明は、カードを事前に作り置きしておくことができるとともに、製造コストを低減することが可能なラベル付カードおよびラベル付カードの製造方法を提供することを課題とする。
【課題を解決するための手段】
【０００８】
上記課題を解決するため、本発明第１の態様では、
特定情報が表現された印刷層である特定情報印刷層が形成された紙であるラベル紙と、
前記特定情報印刷層を覆って形成された隠蔽層と、
前記ラベル紙を貼付するためのカード基材と、を備え、
前記ラベル紙が、前記特定情報印刷層が形成されていない側の面において、ラベル紙の全面に一様に形成された粘着剤層により、前記カード基材に貼付されていることを特徴とするラベル付カードを提供する。
【０００９】
本発明第１の態様によれば、特定情報が表現された印刷層である特定情報印刷層が形成された紙であるラベル紙と、特定情報印刷層を覆って形成された隠蔽層と、ラベル紙を貼付するためのカード基材と、を備え、ラベル紙が、特定情報印刷層が形成されていない側の面において、ラベル紙の全面に一様に形成された粘着剤層により、カード基材に貼付されているので、隠蔽層を備えたカードを、低コストで製造することが可能となる。
【００１０】
また、本発明第２の態様では、
前記カード基材の前記ラベル紙が接着された面における前記ラベル紙が接着されていない部分が、前記カード基材を支持するための支持体に接着されていることを特徴とする。
【００１１】
本発明第２の態様によれば、カード基材のラベル紙が接着された面におけるラベル紙が接着されていない部分が、カード基材を支持するための支持体に接着されているので、隠蔽層を備えたカードが支持体に貼付されたラベル付カードを、低コストで製造することが可能となる。
【００１２】
また、本発明第３の態様では、前記ラベル紙は、坪量２６０ｇ／ｍ2以下の紙であることを特徴とする。
【００１３】
本発明第３の態様によれば、カード基材に貼付されるラベル紙は、坪量２６０ｇ／ｍ2以下の紙であるので、ラベル紙の作成過程において、ロール状の連続紙の状態で扱うことができ、低コストで柔軟な製造が可能となる。
【００１４】
また、本発明第４の態様では、
ラベル紙を含む連続状のタック紙において、各ラベル紙に特定情報が表現された印刷層である特定情報印刷層を形成するステップと、
前記特定情報印刷層を覆って隠蔽層を形成するステップと、
前記タック紙を巻き取るステップと、
前記巻き取り状態のタック紙から各ラベル紙を剥離して、カード基材に貼付するステップと、
前記カード基材の前記ラベル紙が接着された面における前記ラベル紙が接着されていない部分を支持体に貼付するステップと、
を有することを特徴とするラベル付カードの製造方法を提供する。
【００１５】
本発明第４の態様によれば、ラベル紙を含む連続状のタック紙において、各ラベル紙に特定情報が表現された印刷層である特定情報印刷層を形成するステップと、特定情報印刷層を覆って隠蔽層を形成するステップと、タック紙を巻き取るステップと、巻き取り状態のタック紙から各ラベル紙を剥離して、カード基材に貼付するステップと、カード基材のラベル紙が接着された面におけるラベル紙が接着されていない部分を支持体に貼付するステップを有する製造方法によりラベル付カードを製造するようにしたので、隠蔽層を備えたカードが支持体に貼付されたラベル付カードを、低コストで製造することが可能となる。
【発明の効果】
【００１６】
本発明によれば、カードを事前に作り置きしておくことができるとともに、製造コストを低減することが可能となる。
【図面の簡単な説明】
【００１７】
【図１】本発明の一実施形態に係るラベル付カードのラベル側から見た平面図である。
【図２】本発明の一実施形態に係るラベル付カードが貼付される支持体の平面図である。
【図３】本発明の一実施形態に係るラベル付カードが支持体に貼付された状態を示す平面図である。
【図４】本発明の一実施形態に係るラベル付カードの層構成を示す断面図である。
【図５】本発明の一実施形態に係るラベル付カードの製造方法を示すフローチャートである。
【図６】ラベルが連続する連続紙を示す平面図である。
【図７】本発明の変形例に係るラベル付カードの層構成を示す断面図である。
【図８】本発明の変形例に係るラベル付カードの製造方法を示すフローチャートである。
【発明を実施するための形態】
【００１８】
以下、本発明の好適な実施形態について、図面を参照して詳細に説明する。
＜１．ラベル付カードの構造＞
図１は、本発明の一実施形態に係るラベル付カードをラベル側から見た平面図である。図２は、本発明の一実施形態に係るラベル付カードが貼付される支持体の平面図である。図３は、本発明の一実施形態に係るラベル付カードが支持体に貼付された状態を示す平面図である。図４は、図３のＡ−Ａ線に対応する断面図であり、ラベル付カードの層構成を示している。
【００１９】
図１〜図４において、ＬＣはラベル付カード、Ｌはラベル、１はラベル紙、２は粘着剤層、３は粘着剤層、４はシール基材、５は剥離層、６は隠蔽層、７はカード基材、８は接着剤層、９は支持体、９ａは吊り下げ用孔、９ｂは窓である。ラベルＬは、ラベル紙１、粘着剤層２、粘着剤層３、シール基材４、剥離層５、隠蔽層６により構成されており、隠蔽層６を削ることにより、印刷された情報を確認することが可能なスクラッチラベルとなっている。カード基材７に、ラベルＬを貼付することにより、ラベル付カードＬＣが得られる。図４の例では、ラベル付カードＬＣが、支持体９にさらに貼付された状態を示している。
【００２０】
図１の平面方向におけるカード基材７のサイズは、適宜設定することができるが、長辺の長さ（図面左右方向）が８５．６ｍｍ、短辺の長さ（図面上下方向）が５４．０ｍｍであることが一般的である。また、図１の平面方向におけるラベルＬ（ラベル紙１）のサイズは、カード基材７に収まる範囲で適宜設定することができるが、図１に示した例では、長辺の長さ（図面左右方向）が７５ｍｍ、短辺の長さ（図面上下方向）が４０ｍｍである。
【００２１】
図１に示すように、ラベル紙１には、バーコードＢが印刷されている。バーコードＢは、ラベルＬをＰＯＳＡ（Ｐｏｉｎｔ ｏｆ Ｓａｌｅｓ Ａｃｔｉｖａｔｉｏｎ）として用いる場合に、ラベルを有効化(Ａｃｔｉｖａｔｉｏｎ)するために用いられる。バーコードはコード情報の一例であり、ラベルＬにバーコード以外のコード情報を印刷するようにしてもよい。例えば、バーコードに代えて、バーコード以外の一次元コードや、ＱＲコード（登録商標）等の二次元コードをコード情報として印刷しておくこともできる。また、図１に示すように、ラベル紙１には、隠蔽層６が形成されている。この下層には、特定情報が印刷されている。ラベルＬをＰＯＳＡとして用いる場合には、ラベルＬごとにユニークなＩＤを特定情報として印刷しておく。接着剤層８は、ラベル付カードＬＣを支持体９に貼付する際に形成されるものであり、カード基材７のラベル紙１が接着された面側の、ラベル紙１が接着されていない部分に形成されている。
【００２２】
図２は、本発明の一実施形態に係るラベル付カードが貼付される支持体の平面図である。図２に示すように、支持体９には、吊り下げ用の貫通孔である吊り下げ用孔９ａと、カードに貼付されたラベル紙１上のバーコードＢを見るための貫通孔である窓９ｂが形成されている。図２の平面方向における支持体９のサイズは、カード基材７が収まる大きさで適宜設定することができるが、図２に示した例では、短辺の長さ（図面左右方向）が１０１ｍｍ、長辺の長さ（図面上下方向）が１３２ｍｍである。
【００２３】
図３の例では、支持体９に、ラベル付カードＬＣを貼付した状態を示している。図３の例では、ラベル付カードＬＣのバーコードＢが、窓９ｂを通して視認可能となっている。
【００２４】
図４においては、説明の便宜上、ラベル付カードＬＣおよび支持体９のサイズ（図面左右方向）に比べて各層の厚さが厚く描かれているが、ラベル付カードＬＣおよび支持体９は全体として薄板状またはシート状であるため、現実には、各層は、より薄く形成されている。例えば、図４における幅（図面左右方向）が、数ｃｍ〜数十ｃｍであるのに対して、厚さ（図面上下方向）は、数百μｍ〜数ｍｍ程度である。図４に示す層構成において、現実には、上下の区別はないが、説明の便宜上、図面上側を上層、図面下側を下層と表現することにする。したがって、図４においては、最上層が支持体９、最下層がカード基材７となっている。
【００２５】
ラベル紙１の一方の面（図４における図面上側の面）には、所定の領域に、特定情報が表現された印刷層である特定情報印刷層（図示省略）が形成されている。特定情報としては、その内容は特に限定されず、隠蔽しておく意味がある情報であればよい。例えば、各ラベルごとに異なる個別情報（ユニークなＩＤ）を用いることができる。特定情報印刷層を隠蔽層６で覆っておき、隠蔽層６を削り取ることにより、スクラッチくじや、ＰＯＳＡなどに用いるスクラッチラベルを実現することができる。
【００２６】
ラベル付カードＬＣにおいては、特定情報印刷層に重ねて、上層に粘着剤層３が形成されている。特に、本実施形態では、粘着剤層３は、特定情報印刷層を覆うようにして形成されている。すなわち、粘着剤層３の面積が、特定情報印刷層の面積よりも大きくなるように形成されている。この粘着剤層３は、隠蔽シールの一部として、隠蔽層６を含む隠蔽シールをラベル紙１側に貼付するために用いられる。ラベル紙１の下層には、粘着剤層２が形成されている。粘着剤層２によりラベル紙１は、カード基材７に接着されている。
【００２７】
粘着剤層３、シール基材４、剥離層５、隠蔽層６は、特定情報印刷層が形成された範囲を全て含む範囲で形成される。粘着剤層３、シール基材４、剥離層５、隠蔽層６は、特定情報印刷層が形成された範囲を含む最小限の面積で形成されていればよい。粘着剤層３については、必ずしも特定情報印刷層が形成された範囲を全て含む範囲で形成する必要はないが、シール基材４、剥離層５、隠蔽層６については、特定情報印刷層を隠蔽するため、特定情報印刷層が形成された範囲を全て含む範囲で形成する必要がある。
【００２８】
図１の例では、ラベルＬが存在する箇所以外では、無地（白紙）の状態とし、絵柄等を省略しているが、必要に応じて印刷等によりカード基材７の片面または両面に任意の情報や絵柄を形成しておいてもよい。また、図２の例では、全面を無地（白紙）の状態とし、絵柄等を省略しているが、必要に応じて印刷等により支持体９の片面または両面に任意の情報や絵柄を形成しておいてもよい。また、ラベル紙１の表面に、所定の情報を記録したバーコードＢが印刷されている。カード基材７、支持体９への絵柄等の印刷は、オフセット印刷、グラビア印刷、スクリーン印刷、インクジェット印刷、電子写真印刷等の公知の印刷法で行うことができる。
【００２９】
＜２．各層の構成＞
ラベル紙１は、ラベルＬ本体としての役割を果たすものである。ラベル紙１には、隠蔽層により隠蔽される特定情報とともに、隠蔽されない情報も印刷されている。ラベル紙１としては、用途に応じて種々の紙が適用できる。例えば、上質紙、中質紙、下級紙、色上質紙等の非塗工紙、アート紙、コート紙、軽量コート紙等の塗工紙、エンボス紙、キャストコート紙、クラフト紙等のいずれでもよく、用途によって適宜選択すればよい。ラベル紙が紙であることにより、プラスチックフィルム等に比べて、加工の容易度が高まる。
【００３０】
本実施形態では、ラベルＬは、上紙、粘着剤層、剥離紙の３層構造を有するタック紙に加工をすることにより作成される。連続紙状のタック紙に印刷等の加工を行って上紙を所定の範囲で切り取り、上紙をラベル紙とするラベルが得られる。タック紙としては、公知の様々なものを用いることができる。タック紙としては上紙が、インクジェット印刷に適しているものが好ましい。例えば、シーレックス社製「アート紙１３５ｋｇ／四六判」を使用することができる。上紙が印刷適性を有していない場合には、ＯＰ（Over Print）ニス等を塗布することにより、印刷適性を高めることができる。
【００３１】
ラベル紙１は、カード基材７よりも薄い。ラベル紙１がカード基材７よりも薄いことにより、一般的なタック紙の上紙をラベル紙として用いることができる。したがって、連続紙であるタック紙をロール状に巻き取って扱うことが可能となり、ラベル紙そのもののコスト、粘着剤を含めたコスト、取扱いの容易さによる製造時のコストを低減することができる。
【００３２】
ラベル紙１の厚さは、２００μｍ（０．２ｍｍ）以下であることが好ましく、１５０μｍ以下であることがより好ましい。ラベル紙が厚過ぎると、ロール状に巻き取ることが難しく、作成したラベルの保管が困難となるためである。ラベル紙１の厚さは、薄い側においては特に限りはないが、現実的には５０μｍ以上である。ラベル紙が薄過ぎると、作成途中においてラベル自体を破損する可能性が高まるためである。坪量であれば、ラベル紙１の坪量は、２６０ｇ／ｍ2以下であることが好ましく、１６０ｇ／ｍ2以下であることがより好ましい。このように、ラベル紙の厚さや坪量に制限を設けることにより、ロール状に巻き取られたタック紙から、ラベル紙１を製造することが可能となる。
【００３３】
ラベル紙１は、その表面に、コロナ放電処理、プラズマ処理、オゾン処理、フレーム処理、プライマー（アンカーコート、接着促進剤、易接着剤とも呼ばれる）塗布処理、予熱処理、除塵埃処理、蒸着処理、アルカリ処理、などの易接着処理を行ってもよい。また、必要に応じて、充填剤、可塑剤、着色剤、帯電防止剤などの添加剤を加えても良い。
【００３４】
粘着剤層２は、ラベルＬの一部としてカード基材７側にラベル紙１を貼付するための層である。粘着剤層２としては、アクリル系粘着剤が最も好ましいが、天然ゴム系粘着剤、合成ゴム系粘着剤、シリコーンゴム系粘着剤等でも良い。粘着剤層２を形成するための粘着剤の塗布量・塗布厚は特に限定されないが、好ましくは、塗布量は０．１ｇ／ｍ2〜５０ｇ／ｍ2であり、塗布厚は０．１μｍ〜５０μｍである。粘着剤層２は、ラベルＬを貼付し易くするため、ラベル紙１の全面に一様に塗布されている。一様に塗布されていれば、間欠的であってもよく、いわゆるベタ塗りされていなくてもよい。
【００３５】
粘着剤層３は、隠蔽シールの一部としてラベル紙１側にシール基材４を貼付するための層である。粘着剤層３としては、粘着剤層２と同様、アクリル系粘着剤が最も好ましいが、天然ゴム系粘着剤、合成ゴム系粘着剤、シリコーンゴム系粘着剤等でも良い。粘着剤層２を形成するための粘着剤の塗布量・塗布厚は特に限定されないが、好ましくは、塗布量は０．１ｇ／ｍ2〜５０ｇ／ｍ2であり、塗布厚は０．１μｍ〜５０μｍである。粘着剤層２と粘着剤層３の素材は同一であっても異なっていてもよい。同一である場合は、製造コストが低減でき、製造効率が高まる。
【００３６】
シール基材４は、隠蔽層６を備えた隠蔽シールの基材となるものである。シール基材４は、ラベル紙１を支持体９に貼付するまでの間、所定の領域における特定情報印刷層を保護する保護層としての機能も有している。シール基材４としては、耐熱性、機械的強度、耐溶剤性等を有するものであれば、用途に応じて種々の材料を適用することができる。例えば、ポリエチレンテレフタレート、ポリブチレンテレフタレート、ポリエチレンナフタレートなどのポリエステル系樹脂、ナイロン６などのポリアミド系樹脂、ポリエチレン、ポリプロピレン、ポリメチルペンテンなどのポリオレフィン系樹脂、ポリ塩化ビニルなどのビニル系樹脂、ポリメチルメタアクリレートなどのアクリル系樹脂、ポリカーボネート、セロファン、セルロースアセテートなどのセルロース系フィルムなどが例示できる。シール基材４は、これら樹脂を主成分とする共重合樹脂、または、混合体（アロイを含む）、若しくは複数層からなる積層体であっても良い。通常は、ポリエチレンテレフタレート、ポリエチレンナフタレートなどのポリエステル系のフィルムが、耐熱性、機械的強度が高いため、好適に用いられる。
【００３７】
また、シール基材４は、延伸フィルムでも、未延伸フィルムでも良いが、強度を向上させる目的で、一軸方向または二軸方向に延伸したフィルムが好ましい。シール基材４は、これら樹脂の少なくとも１層からなるフィルム、シート、ボード状として使用する。シール基材４の厚さは、通常、２．５μｍ〜５０μｍ程度とすることができるが、好ましくは２．５μｍ〜１２μｍ、より好ましくは４μｍ〜６μｍである。
【００３８】
シール基材４は、その表面に、コロナ放電処理、プラズマ処理、オゾン処理、フレーム処理、プライマー（アンカーコート、接着促進剤、易接着剤とも呼ばれる）塗布処理、予熱処理、除塵埃処理、蒸着処理、アルカリ処理、などの易接着処理を行ってもよい。また、必要に応じて、充填剤、可塑剤、着色剤、帯電防止剤などの添加剤を加えても良い。
【００３９】
剥離層５は、隠蔽層６のシール基材４からの削り取りを容易にするための層である。そのため、剥離層５としては、隠蔽層６がシール基材４から容易に剥離できるような接着性の低いものを使用することが好ましい。剥離層５の形成には、例えば、フッ素系樹脂、シリコーン、各種のワックスなどの離型剤を添加または共重合させたアクリル系樹脂、ビニル系樹脂、ポリエステル樹脂、繊維素系樹脂、ワックス、メラミン系樹脂等を用いることができる。剥離層５を形成するための塗布量・塗布厚は特に限定されないが、好ましくは、塗布厚は０．１μｍ〜１０μｍである。剥離層５については、隠蔽層６がシール基材４から容易に削り取られる状態が実現できる場合は、形成しなくてもよい。
【００４０】
隠蔽層６は、コイン等で削り取ったり、接着剤により剥離したりすることが可能な層であって、ラベル紙１に設けられた特定情報印刷層を隠蔽するための層である。隠蔽層６は、隠蔽性の高いインキを印刷することにより形成される。具体的には、隠蔽性の高い顔料が、比較的多量にバインダ樹脂中に分散したものであって、必要に応じて、着色の目的で、染料もしくは通常の顔料が配合されたインキであってもよい。
【００４１】
隠蔽層６を構成する隠蔽性の高い顔料としては、銀粉末、アルミニウム粉末、黄銅粉末、もしくは銅粉末等の金属系粉末、炭酸カルシウム、酸化亜鉛、アルミナ、二酸化チタン、シリカ、硫酸バリウム、タルク、カオリン、クレー、カーボンブラック、もしくは樹脂粉末等を使用することができる。また、隠蔽層６を構成するバインダ樹脂としては、上記の隠蔽性の高い顔料を保持し、基材との接着性の良好なものを選択して用い、例えば、天然ゴム、もしくは塩酸ゴム等のゴム系天然樹脂、ポリブタジエン、スチレン−ブタジエン共重合体、アクリロ二トリル−ブタジエン共重合体、ポリイソプレン、ポリクロロプレン、アクリル、塩化ビニル、もしくは塩化ビニル−酢酸ビニル共重合体等を使用する。
【００４２】
例えば、金属粉をインキ化した銀インキなどをオフセット印刷、グラビア印刷、シルクスクリーン印刷などの公知の印刷法で形成すればよく、隠蔽性をあげるために複数回印刷してもよい。また、隠蔽性のある異なるインキによる印刷層を複数層形成してもよい。隠蔽層６を形成するための塗布量・塗布厚は特に限定されないが、好ましくは、塗布厚は０．１μｍ〜１０μｍである。
【００４３】
カード基材７は、ラベルＬを貼付するためのものである。カード基材７としては、用途に応じて種々の材料が適用できる。例えば、天然繊維紙、コート紙、プラスチックフィルム、ガラス、セラミックス等のいずれでもよく、用途によって適宜選択すればよい。プラスチックフィルムの場合は、ポリエチレンテレフタレート、ポリエチレンナフタレートなどのポリエステル系樹脂、ナイロン６などのポリアミド系樹脂、ポリエチレン、ポリプロピレン、ポリメチルペンテンなどのポリオレフィン系樹脂、ポリ塩化ビニルなどのビニル系樹脂、ポリメチルメタアクリレートなどのアクリル系樹脂、ポリカーボネート、セロファン、セルロースアセテートなどのセルロース系フィルムなどが例示できる。カード基材７は、これら樹脂を主成分とする共重合樹脂、または、混合体（アロイを含む）、若しくは複数層からなる積層体であっても良い。
【００４４】
また、カード基材７としてプラスチックフィルムを用いる場合は、延伸フィルムでも、未延伸フィルムでも良いが、強度を向上させる目的で、一軸方向または二軸方向に延伸したフィルムが好ましい。カード基材７は、これら樹脂の少なくとも１層からなるカード状のものとして使用する。カード基材７は、その表面に、コロナ放電処理、プラズマ処理、オゾン処理、フレーム処理、プライマー（アンカーコート、接着促進剤、易接着剤とも呼ばれる）塗布処理、予熱処理、除塵埃処理、蒸着処理、アルカリ処理、などの易接着処理を行ってもよい。また、必要に応じて、充填剤、可塑剤、着色剤、帯電防止剤などの添加剤を加えても良い。
【００４５】
接着剤層８は、支持体９側にカード基材７を貼付するための層である。接着剤層８は、常温で粘着性を有するいわゆる粘着剤を用いて形成してもよいし、粘着剤以外の接着剤を用いて形成してもよい。粘着剤以外の接着剤としては、例えば、ウレタン系、アクリル系、酢酸ビニル系、エチレン−酢酸ビニル共重合体、塩化ビニル−酢酸ビニル共重合体、セルロース樹脂等の熱可塑性樹脂、またはこれらの混合物からなる樹脂を使用することができる。接着剤の塗布は、フレキソ法、グラビア法などの公知の印刷法又はコーティング法によって、厚み０．１〜５０μｍ程度に塗布し、貼り合わせ後に、必要に応じて乾燥させる。
【００４６】
粘着剤を用いて接着剤層８を形成する場合は、合成ゴム系粘着剤が最も好ましいが、天然ゴム系粘着剤、アクリル系粘着剤、シリコーンゴム系粘着剤等でも良い。接着剤層８を形成するための粘着剤の塗布量・塗布厚は特に限定されないが、好ましくは、塗布量は０．１ｇ／ｍ2〜５０ｇ／ｍ2であり、塗布厚は０．１μｍ〜５０μｍである。
【００４７】
支持体９は、カード基材７を支持するための支持体であり、陳列時に、いわゆる台紙としての役割を果たすものである。支持体９としては、用途に応じて種々の材料が適用できる。例えば、天然繊維紙、コート紙、プラスチックフィルム、ガラス、セラミックス等のいずれでもよく、用途によって適宜選択すればよい。プラスチックフィルムの場合は、ポリエチレンテレフタレート、ポリエチレンナフタレートなどのポリエステル系樹脂、ナイロン６などのポリアミド系樹脂、ポリエチレン、ポリプロピレン、ポリメチルペンテンなどのポリオレフィン系樹脂、ポリ塩化ビニルなどのビニル系樹脂、ポリメチルメタアクリレートなどのアクリル系樹脂、ポリカーボネート、セロファン、セルロースアセテートなどのセルロース系フィルムなどが例示できる。支持体９は、これら樹脂を主成分とする共重合樹脂、または、混合体（アロイを含む）、若しくは複数層からなる積層体であっても良い。
【００４８】
また、支持体９としてプラスチックフィルムを用いる場合は、延伸フィルムでも、未延伸フィルムでも良いが、強度を向上させる目的で、一軸方向または二軸方向に延伸したフィルムが好ましい。支持体９は、これら樹脂の少なくとも１層からなるフィルム、シート、ボード状として使用する。支持体９は、その表面に、コロナ放電処理、プラズマ処理、オゾン処理、フレーム処理、プライマー（アンカーコート、接着促進剤、易接着剤とも呼ばれる）塗布処理、予熱処理、除塵埃処理、蒸着処理、アルカリ処理、などの易接着処理を行ってもよい。また、必要に応じて、充填剤、可塑剤、着色剤、帯電防止剤などの添加剤を加えても良い。
【００４９】
＜３．ラベル付カードの製造＞
次に、本実施形態に係るラベル付カードの製造方法について説明する。図５は、本発明の一実施形態に係るラベル付カードの製造方法を示すフローチャートである。まず、カードおよび支持体を作成する（ステップＳ１）。カードの作成については、所定の基材をカード基材７の形状に打ち抜き、カード基材７上に絵柄等の必要な印刷を行う。カードの絵柄が決定した時点で印刷を施し、カード基材７を作成しておくことができる。支持体９の作成については、所定の基材を支持体９の形状に打ち抜き、吊り下げ用孔９ａ、窓９ｂを打ち抜いて形成し、支持体９上に絵柄等の必要な印刷を行う。カード基材７、支持体９のいずれも、作成者の都合に合わせて、適宜作成しておくことができる。すなわち、ラベルＬへの印刷内容が決まっていない状態であっても、作り置きしておくことができる。
【００５０】
次に、ラベル紙１に対して加工を行う。ラベル紙１への加工は、カード基材７、支持体９の作成後、任意のタイミングで作成することができる。上述のように、カード基材７、支持体９を作り置きしておき、必要な情報が全て揃った段階で、ラベル紙１への加工を開始することができる。まず、ラベル紙１に特定情報印刷層を形成する（ステップＳ２）。特定情報印刷層の形成は、オフセット印刷、グラビア印刷、スクリーン印刷、インクジェット印刷、電子写真印刷等の公知の印刷法により行うことができる。
【００５１】
次に、ステップＳ３〜ステップＳ５において、粘着剤層３、シール基材４、剥離層５、隠蔽層６からなる隠蔽シールの製造を行う。まず、シール基材４の一方の面に、剥離層５を形成する（ステップＳ３）。剥離層５は、上述のように、隠蔽層６のシール基材４からの削り取りを容易にするための層である。剥離層５は、例えば、シリコーン系の剥離インキによって形成することもできる。
【００５２】
次に、剥離層５に重ねて、隠蔽層６を形成する（ステップＳ４）。具体的には、シール基材４の一方の面に形成された剥離層５にさらに重ねて、隠蔽性の高い銀インキを、公知の印刷方法もしくは塗布方法により印刷もしくは塗布する。本実施形態では、シルク印刷機を用いてスクリーン印刷法により銀インキをベタ印刷している。
【００５３】
続いて、シール基材４の、剥離層５および隠蔽層６が形成された面と反対側の面に、粘着剤層３を形成する（ステップＳ５）。粘着剤層３における粘着剤の粘度は、１００００ｍＰａ・ｓ〜１０００００ｍＰａ・ｓ程度が好ましい。粘着剤層２の形成のための粘着剤の塗布方法としては、例えば、比較的高速化が可能なグラビア方式やスプレーコート方式、フレキソ方式等によるコーティング等を使用することができる。
【００５４】
次に、シール貼付機を用いて、粘着剤層３、シール基材４、剥離層５、隠蔽層６からなる隠蔽シールを、粘着剤層３をラベル紙１側に向けた状態で貼付する（ステップＳ６）。この際、ラベル紙１上の特定情報印刷層が形成された箇所を覆う位置に位置合わせしながら、隠蔽シールを貼付する。
【００５５】
上記ステップＳ２〜ステップＳ６における処理は、ロール状の状態から巻き出されたタック紙の上紙の上に行われる。さらに、上紙のうち、各ラベル紙１を規定する範囲に、剥離紙に達しないハーフカット加工を行い、ラベル紙１となる領域以外の上紙をいわゆるカス上げすることにより分離除去する。この結果、図６に示すようなラベル連続紙が得られる。ラベル紙１は、連続する剥離紙上にいわゆるアイランド状に残された状態となる。
【００５６】
図６に示すように、ラベル紙１に形成された特定情報印刷層は、隠蔽層６を備えた隠蔽シールにより隠蔽されることになる。また、図６の例では、粘着剤層３、シール基材４、剥離層５、隠蔽層６が形成されている箇所と、バーコードＢが印刷されている箇所以外を無地（白紙）の状態とし、絵柄等を省略しているが、必要に応じて印刷等によりラベル紙１の表面に任意の情報や絵柄を形成しておいてもよい。ラベル紙１への情報の印刷は、オフセット印刷、グラビア印刷、スクリーン印刷、インクジェット印刷、電子写真印刷等の公知の印刷法で行うことができる。
【００５７】
次に、ラベル紙１に加工が行われた状態の連続紙をロール状に巻き取る（ステップＳ７）。ロール状に巻き取った連続紙は、保管および運搬が容易となる。カード基材７や支持体９が、ラベル紙１の連続紙と離れた場所で保管されている場合は、ラベル紙１の連続紙をカード基材７や支持体９の保管場所に運搬して以降のステップ（工程）を実行することになる。
【００５８】
ラベルＬが得られたら、ラベルＬをカード基材７に貼付する（ステップＳ８）。具体的には、ラベル貼付機を用いて、連続状の剥離紙からラベルＬを１つずつ剥離し、剥離されたラベルＬを、ラベルＬの粘着剤層２側がカード基材７に向くようにして、カード基材７の一方の面に貼付する。
【００５９】
この際、ラベルＬとカード基材７との平面方向の位置合わせを行いながら、ラベルＬを貼付する。通常、定められた位置に１．０ｍｍ以内の誤差で貼付されるが、ラベルＬが、平面方向においてカード基材７に収まる位置に貼付されるのであれば、多少の位置ズレは許容される。ラベルＬをカード基材７に貼付した結果、図１に示したような、ラベルＬがカード基材７の表面に貼付されたラベル付カードＬＣが得られる。
【００６０】
ラベル付カードＬＣが得られたら、ラベル付カードＬＣを支持体９に貼付する（ステップＳ９）。具体的には、カード基材７のラベル紙１が貼付された面であって、ラベル紙１と重複しない箇所に接着剤を塗布して接着剤層８を形成し、接着剤層８が、支持体９に向くようにして、支持体９の一方の面に貼付する。
【００６１】
この際、カード基材７と支持体９との平面方向の位置合わせを行いながら、カード基材７を貼付する。通常、定められた位置に１．０ｍｍ以内の誤差で貼付されるが、ラベルＬが、平面方向において支持体９に収まる位置に貼付されるのであれば、多少の位置ズレは許容される。
【００６２】
カード基材７を支持体９に貼付した結果、図３、図４に示したような支持体９、隠蔽層６、剥離層５、シール基材４、粘着剤層３、ラベル紙１、粘着剤層２、カード基材７の順に積層されたラベル付カードＬＣが得られる。
【００６３】
＜４．他の実施形態＞
ラベル付カードの他の実施形態を図７に示す。図７に示すラベル付カードＬＣ´は、ラベル紙１、粘着剤層２、カード基材７、接着剤層８、支持体９については、図４に示したラベル付カードＬＣと同一であるが、特定情報印刷層に重ねられた部分が異なっている。図７において、図４と同一の構成要素については、同一符号を付して説明を省略する。図７に示すラベル付カードＬＣ´では、特定情報印刷層に重ねて、上層に剥離層５ａが形成されている。特に、本実施形態では、剥離層５ａは、特定情報印刷層を覆うようにして形成されている。すなわち、剥離層５ａの面積が、特定情報印刷層の面積よりも大きくなるように形成されている。
【００６４】
剥離層５ａ、隠蔽層６ａは、特定情報印刷層が形成された範囲を全て含む範囲で形成される。剥離層５ａ、隠蔽層６ａは、特定情報印刷層が形成された範囲を含む最小限の面積で形成されていればよい。剥離層５ａおよび隠蔽層６ａについては、特定情報印刷層を隠蔽するため、特定情報印刷層が形成された範囲を全て含む範囲で形成する必要がある。隠蔽層６ａについては、剥離層５ａが形成された範囲に含まれる範囲に形成されていることが好ましい。剥離層５ａが形成された範囲に含まれる範囲に形成されていることにより、隠蔽層６ａの全てを削り取り易くすることができる。
【００６５】
剥離層５ａ、隠蔽層６ａについては、ラベル付カードＬＣにおける剥離層５、隠蔽層６と同様の素材を用いることができる。上記剥離層５、隠蔽層６に利用可能な素材の中から、適宜最適なものを選択すればよい。
【００６６】
次に、他の実施形態に係るラベル付カードＬＣ´の製造方法について説明する。図８は、他の実施形態に係るラベル付カードＬＣ´の製造方法を示すフローチャートである。図８において、図５と同一の処理については、同一符号を付している。まず、図５の場合と同様、カード基材７および支持体９を作成する（ステップＳ１）。次に、図５の場合と同様、ラベル紙１に特定情報印刷層を形成する（ステップＳ２）。
【００６７】
次に、ラベル紙１上の特定情報印刷層が形成された箇所を覆う位置に位置合わせしながら、剥離層５ａを形成する（ステップＳ１１）。剥離層５ａは、上述のように、隠蔽層６ａの削り取りを容易にするための層である。剥離層５ａは、例えば、シリコーン系の剥離インキによって形成することもできる。
【００６８】
次に、剥離層５ａに重ねて、隠蔽層６ａを形成する（ステップＳ１２）。具体的には、剥離層５ａにさらに重ねて、隠蔽性の高い銀インキを、公知の印刷方法もしくは塗布方法により印刷もしくは塗布する。変形例においても、シルク印刷機を用いてスクリーン印刷法により銀インキをベタ印刷している。
【００６９】
上記ステップＳ１１〜ステップＳ１２における処理も、上記ステップＳ３〜ステップＳ６と同様、ロール状の状態から巻き出されたタック紙の上紙の上に行われる。この結果、図６に示したようなラベル連続紙が得られる。他の実施形態においても、必要に応じて印刷等によりラベル紙１の表面に任意の情報や絵柄を形成しておいてもよい。
【００７０】
そして、他の実施形態においても、ラベル紙１に加工が行われた状態の連続紙をロール状に巻き取った後（ステップＳ７）、必要に応じて保管・運搬を行い、ラベルＬをカード基材７に貼付する（ステップＳ８）。さらに、カード基材７を支持体９に貼付する（ステップＳ９）。
【００７１】
ラベルＬをカード基材７に貼付し、カード基材７を支持体９に貼付した結果、図３、図７に示したような支持体９、隠蔽層６ａ、剥離層５ａ、ラベル紙１、粘着剤層２、カード基材７の順に積層されたラベル付カードＬＣ´が得られる。
【００７２】
＜５．ラベル付カードの使用＞
図３、図４に示したようなラベル付カードＬＣは、吊り下げ用孔９ａをフックに掛けて吊り下げることにより店舗内に陳列される。ラベル付カードＬＣの購入時に、窓９ｂから覗き、ラベルＬの表面に印刷されたバーコードＢが、ＰＯＳレジスタに接続されたバーコードリーダーにより読み取られる。ラベルＬがＰＯＳＡに対応している場合は、読み取られた情報は、ネットワークを介して所定のコンピュータに記録され、そのラベルＬは、有効化(Ａｃｔｉｖａｔｉｏｎ)される。
【００７３】
ラベル付カードＬＣを店舗で購入した利用者は、接着剤層８を破壊して、ラベル付カードＬＣを剥離した後、特定情報を知るため、隠蔽層６を削る作業を行う。隠蔽層６がラベルＬから剥離されることにより、ラベルＬの特定情報印刷層が露出し、特定情報の視認が可能となる。この場合、粘着剤層３の形成に用いられる粘着剤は、透明または半透明であることが必要である。
【００７４】
ラベルＬがＰＯＳＡに対応している場合は、取得した特定情報を、コンピュータネットワークを介して、所定のコンピュータに登録することにより、有効化されたラベルＬを特定することができる。図３、図７に示したようなラベル付カードＬＣ´についても、ラベル付カードＬＣと同様の作業が行われ、ラベルＬの有効化および特定が行われる。
【００７５】
＜６．実施例＞
以下の構成でラベル付カードＬＣを作成した。
ラベル紙１および粘着剤層２・・・シーレックス社製タック紙「アート紙１３５ｋｇ／四六判」（坪量１６０ｇ／ｍ2）
粘着剤層３、シール基材４、剥離層５および隠蔽層６・・・シーレックス社製スクラッチラベル
カード基材７・・・王子マテリア社製「ＯＫエルカード＋」坪量３６０ｇ/ｍ2（コート紙）
接着剤層８・・・旭化学合成社製「ＡＺ−Ｄ」
支持体９・・・王子マテリア社製「ＯＫエルカード＋」坪量３１０ｇ/ｍ2（コート紙）
【００７６】
上記の構成のラベル付カードＬＣを作成する際、カード基材７および支持体９を事前に作り置きしておいた。そして、タック紙の上紙であるラベル紙１に印刷を行った後、連続紙をロール状に巻き取った。ロール状に巻き取った連続紙は、保管および運搬が容易であった。その後、ラベルＬを剥離紙の連続紙から剥がして、カード基材７に貼付することにより、隠蔽層を備えたカードが得られた。カード基材７および支持体９の強度、接着剤層８の接着性は良好であった。隠蔽層６はコインで容易に削ることができ、特定情報を視認することができた。
【００７７】
以上、本発明の好適な実施形態について説明したが、本発明は、上記実施形態に限定されず、種々の変形が可能である。例えば、上記実施形態では、特定情報印刷層を隠蔽するための構造として、２つの例について説明したが、特定情報印刷層を隠蔽するための隠蔽層を形成することができれば、どのような構造であってもよい。
【符号の説明】
【００７８】
１・・・ラベル紙
２・・・粘着剤層
３・・・粘着剤層
４・・・シール基材
５、５ａ・・・剥離層
６、６ａ・・・隠蔽層
７・・・カード基材
８・・・接着剤層
９・・・支持体
９ａ・・・吊り下げ用孔
９ｂ・・・窓
Ｂ・・・バーコード
Ｌ・・・ラベル
ＬＣ、ＬＣ´・・・ラベル付カード
【図１】
2017021290.tif 000003
【図２】
2017021290.tif 000004
【図３】
2017021290.tif 000005
【図４】
2017021290.tif 000006
【図５】
2017021290.tif 000007
【図６】
2017021290.tif 000008
【図７】
2017021290.tif 000009
【図８】
2017021290.tif 000010